(57)【要約】      （修正有）【課題】安価でかつ取り扱いや廃棄処理が容易なマスク包装紙を提供する。【解決手段】マスク包装紙は、紙シートに、第１の折線Ｌ１と第２の折線Ｌ２を形成すると共に、その間の収納エリア１２０に、マスク保持片１３０を形成し、紙シートに舌状の差込片１４０と差込口１５０とを形成する。紙シートでマスク２００全体を包み込むように保持できるため、マスクを剥き出しのままテーブルなどにおいたり衣服のポケットや鞄などに入れておく必要がなくなって落下防止や衛生が保たれると共に、見た目も良好になる。また、マスクの再使用時には、紙シートはそのまま小さく丸めてゴミ箱に捨てれば、嵩張ることなく燃えるゴミとして廃棄することができる。【選択図】図４
0003227972.tif 000002
【実用新案登録請求の範囲】
【請求項１】
Ａ４紙または矩形状の紙シートに、その幅方向に伸びる第１の折線と、第２の折線を所定の間隔を隔てて略平行に形成すると共に、前記第１の折線と第２の折線との間の収納エリアに、マスク保持するための保持片を一対形成し、
前記Ａ４紙または紙シートを前記第１の折線と第２の折線でそれぞれ向き合うように折ったときに重なり合う箇所にそれぞれ舌状の差込片とスリット状の差込口とを形成したことを特徴とするマスク包装紙。
【請求項２】
請求項１に記載のマスク包装紙において、
前記Ａ４紙または矩形状の紙シートが、和紙または和紙を主原料とする装飾紙、または和紙風の模造紙、風景画を印刷した紙、プリント紙、キャラクターや商標が印刷された紙であることを特徴とするマスク包装紙。
【考案の詳細な説明】
【技術分野】
【０００１】
本考案は、顔面の口や鼻を覆うマスク（フェイスマスク）を収納できるマスク包装紙に関するものである。
【背景技術】
【０００２】
最近の新型コロナウィルス感染症対策として業務中や日常生活においてもマスクが欠かせない存在となっている。特に、病院や未就学児童施設（保育園）、老人ホーム、飲食店、劇場、文化展示施設及びショッピングモールなどといった比較的密になりやすく不特定多数の人が集まる場所では、マスクをしていない人の入場が断られるケースもある。
【０００３】
しかし、飲食時には、必ずマスクを外す必要があるが、外したマスクの置き場所に困ることが多い。外したマスクをテーブルに直に置くとそのまま床に落としたり、不衛生だったり、また、テーブルの水滴や料理などが付着してマスクが濡れたり汚れてしまうことがある。
【０００４】
このため、例えば以下の特許文献１や２のようなマスクを収納するケースを利用する方法が考えられる。すなわち、特許文献１には１枚のプラスチックシートを折り曲げて重ね合わせ、重ね合わさった底辺を溶着加工したマスク収納ケースが提案されている。また、特許文献２には抗菌加工が施されたポリプロピレン材料を用いて開閉可能場部分と圧着による密閉部分を備えたマスク収納ケースが提案されている。
【先行技術文献】
【特許文献】
【０００５】
【特許文献１】実用新案登録第３２１３７２０号公報
【特許文献２】実用新案登録第３１７０８２７号公報
【考案の概要】
【考案が解決しようとする課題】
【０００６】
しかしながら、前述したような従来のマスク収納ケースはプラスチックシートなどを加工してなるものであるため、材料費や製造コストが高くなってしまう。また、プラスチック（合成樹脂）を材料とするため、使用後にゴミ箱などに廃棄した際にそれらが嵩張ったり、分別が必要なプラスチックごみが大幅に増えてしまうといった不都合がある。
【０００７】
そこで、本考案はこれらの課題を解決するために案出されたものであり、その目的は、安価でかつ取り扱いや廃棄処理が容易な新規なマスク包装紙を提供するものである。
【課題を解決するための手段】
【０００８】
前記課題を解決するために第１の考案は、Ａ４紙または矩形状の紙シートに、その幅方向に伸びる第１の折線と、第２の折線を所定の間隔を隔てて略平行に形成すると共に、前記第１の折線と第２の折線との間の収納エリアに、マスクを保持するためのマスク保持片を一対形成し、前記Ａ４紙または紙シートを前記第１の折線と第２の折線でそれぞれ向き合うように折ったときに重なり合う箇所にそれぞれ舌状の差込片とスリット状の差込口とを形成したことを特徴とするマスク包装紙である。
【０００９】
このような構成によれば、顔面から外したマスクをその第１の折線と第２折り線との間の収納エリアにおいてその両側を一対のマスク保持片で保持した後、第１の折線と第２の折線でそれぞれ向き合うように折ってからその重なり合った一方の舌状の差込片を他方のスリット状の差込口に差し込むことで、マスク全体を包み込むように保持することができる。
【００１０】
これによって、外したマスクを剥き出しのままテーブルなどにおいたり衣服のポケットや鞄などに入れておく必要がなくなるため、落下防止や衛生が保たれると共に、見た目も良好になる。また、マスクの再使用時には、その包装紙はそのまま小さく丸めてゴミ箱に捨てれば、嵩張ることなくそのまま燃えるゴミとして廃棄することができる。
【００１１】
第２の考案は第１の考案において、前記紙シートが、和紙または和紙を主原料とする装飾紙、または和紙風の模造紙、風景画を印刷した紙、プリント紙、キャラクターや商標などが印刷された紙であることをマスク包装紙である。このようにＡ４紙または矩形状の紙シートとして、和紙または和紙を主原料とする装飾紙からなる高級紙や商標などのキャラクターが印刷された紙を使用することで、高級料亭や結婚披露宴、晩餐会などのような格式高いおもてなしの場所やテーマパークなどでも雰囲気を損なうことなく、その機能を発揮することができる。
【考案の効果】
【００１２】
本考案によれば、外したマスクを剥き出しのままテーブルなどに置いたり衣服のポケットや鞄などに入れておく必要がなくなるため、落下防止や衛生が保たれると共に、見た目も良好になる。また、マスクの再使用時には、そのまま小さく丸めてゴミ箱に捨てれば、嵩張ることなくそのまま燃えるゴミとして廃棄することができる。また、材料としてＡ４紙などを用いれば、製造コストも安価となる。さらに、その紙シートとして、和紙または和紙を主原料とする装飾紙からなる高級紙を使用すれば、高級料亭や結婚式、晩餐会などのような格式高いおもてなしの場所でも雰囲気を損なうことなく、その機能を発揮することができる。
【図面の簡単な説明】
【００１３】
【図１】本考案に係るマスク包装紙１００の実施の一形態を示す説明図である。
【図２】本考案に係るマスク包装紙１００の構成を示す説明図である。
【図３】外したマスク２００を収納エリア１２０に入れる状態を示す説明図である。
【図４】収納エリア１２０に収納したマスク２００をマスク保持片１３０，１３０で保持した状態を示す説明図である。
【図５】収納エリア１２０に収納したマスク２００を紙シート１１０で包み込んだ状態を示す説明図である。
【図６】本考案に係るマスク包装紙１００を立体マスク２３０に適用（二つ折り）した例を示す説明図である。
【図７】本考案に係るマスク包装紙１００を立体マスク２３０に適用（展開）した例を示す説明図である。
【考案を実施するための形態】
【００１４】
以下、本考案の実施の形態を添付図面を参照しながら説明する。図１は本考案に係るマスク包装紙１００の実施の一形態を示したものである。図示するようにこのマスク包装紙１００は、Ａ４紙または矩形状の紙シート１１０に、その幅方向に伸びる第１の折線Ｌ１と、第２の折線Ｌ２を有すると共に、これら第１の折線Ｌ１と第２の折線Ｌ２との間にマスクを収納するための収納エリア１２０を備えている。また、この収納エリア１２０には、マスクを保持するためのマスク保持片１３０，１３０が一対形成されており、さらに、この紙シート１１０の上縁側と下縁側の略中央部は、舌状の差込片１４０とスリット状の差込口１５０とがそれぞれ形成されている。
【００１５】
図２はこのマスク包装紙１００の構造をより具体的に示したものである。すなわち、このマスク包装紙１００は、同図（Ａ）に示すように矩形状（縦長）の紙シート１１０から構成されている。この紙シート１１０は、矩形状に裁断されたものであれば特に限定されないが、例えば多くのオフィスや役所、学校などで利用されているＡ４サイズ（縦２９７ｍｍ、横２１０ｍｍ：Ａ４紙：ＪＩＳ（日本工業規格））の大きさのコピー用紙などを用いることができる。
【００１６】
そして、この紙シート１１０の上縁から所定の位置、例えば図示するように上縁から１３０ｍｍの位置には第１の折線Ｌ１が形成されると共に、さらにこの第１の折線Ｌ１の下から所定の位置、例えば第１の折線Ｌ１からさらに下方に向かって１３０ｍｍの位置には第２の折線Ｌ２がそれぞれほぼ平行になるように形成されており、その間がマスクの収納エリア１２０となっている。
【００１７】
そして、この収納エリア１２０の両側にはそれぞれ左右横向きのＵ字状の切れ込みからなる舌状のマスク保持片１３０，１３０が対向するように一対形成されている。さらに、この紙シート１１０の上縁のほぼ中央部には同じくＵ字状の切れ込みからなる舌状の差込片１４０が下向きに形成されていると共に、これと対向する紙シート１１０の下縁のほぼ中央部には直線の切り込みからなるスリット状の差込口１５０が形成された構成となっている。
【００１８】
このような構成をした紙シート１１０は、同図（Ｂ）に示すようにスリット状の差込口１５０が形成された下縁側を第２の折線Ｌ２部分で上方に折った後、同図（Ｃ）に示すように舌状の差込片１４０が形成された上縁側を第１の折線Ｌ１部分で下方に折ることでその下縁側と上縁側とが重なり合って収納エリア１２０全体を覆うようになっている。
【００１９】
図３乃至図５はこの本考案に係るマスク包装紙１００の使用例を示したものである。まず、図３に示すように利用者はこのマスク包装紙１００を手にとってその収納エリア１２０に顔面から外したマスク２００を位置させてから、そのマスク２００の両側を舌状のマスク保持片１３０，１３０で挟むようにして保持する。なお、このマスク２００は通常鼻と口を覆う長方形状のマスク本体２１０の両側に顔面保持用のゴム紐２２０、２２０を備えた構造となっているが、後述するようにマスク本体２１０と耳に掛ける部分が一体的となった立体マスクであっても同様である。
【００２０】
そして、このようにしてマスク２００を収納エリア１２０に保持したならば、スリット状の差込口１５０が形成された紙シート１１０の下縁側を第２の折線Ｌ２部分で上方に折った後、舌状の差込片１４０が形成された紙シート１１０の上縁側を第１の折線Ｌ１部分で下方に折る。すると、紙シート１１０の下縁側と上縁側とが重なり合って舌状の差込片１４０がスリット状の差込口１５０に位置するため、そのまま舌状の差込片１４０を指で下方に押し出してからその先端からスリット状の差込口１５０に差し込む。
【００２１】
これによって収納エリア１２０に保持されたマスク２００全体が覆い隠されて外部から見えなくなると共に、舌状の差込片１４０がスリット状の差込口１５０と係合することによってその紙シート１１０が勝手に開いたりすることなくその状態が維持される。なお、この紙シート１１０は、これを提供する側において予めこの第１の折線Ｌ１と第２の折線Ｌ２部分で一度折っておいてその部分に折り癖をつけた状態で利用者に提供すればより使い勝手がよくなる。
【００２２】
従って、このような構成をした本考案に係るマスク包装紙１００を用いれば、顔面から外したマスク２００を剥き出しのままテーブルなどに置く必要がなくなるため、取り外したマスク２００の落下防止や清潔感が保たれると共に、見た目も良好になる。また、マスク２００を再使用する時には、そのマスク包装紙１００は、使用後はそのまま小さく丸めれば、嵩張ることなくそのまま燃えるゴミとして廃棄することができる。また、収納エリア１２０内のマスク２００はその両側が舌状のマスク保持片１３０，１３０でしっかりと保持されているため、そのまま手に持っていても中からマスク２００が抜け落ちるようなこともない。
【００２３】
また、材料がＡ４サイズのコピー用紙（Ａ４紙）などの安価な紙シートで足りるため、プラスチック製の従来のものに比べて製造コストも安価となる。さらに、マスク２００を廃棄する場合は、そのままマスク２００を包み込んだ状態でまとめて廃棄することもできる。さらに、その紙シート１１０として、和紙または和紙を主原料とする装飾紙からなる高級紙を使用すれば、高級料亭や結婚式、晩餐会などのような格式高いおもてなしの場所でも雰囲気を損なうことなく、その機能を発揮することができる。
【００２４】
なお、ここで和紙とは梳いた状態のままの白色の和紙の他に、和紙を主原料とする装飾紙、例えば楮紙、揉紙、友禅紙、板締紙、典具帖紙、強制紙、レース紙、カス紙、雲龍紙、大礼紙、金銀振り、奉書紙などのような高級紙を使用すれば、よりおもてなし感が向上する。また、和紙風の模造紙、風景画を印刷した紙、プリント紙、キャラクターや商標などが印刷された紙などであれば、格式高い場所だけでなくテーマパークなどその場の雰囲気に合ったものを使用することができる。
【００２５】
また、本考案に係るマスク包装紙１００を用いることができるマスク２００は、前述したような使い捨てマスクや布製マスクのように平面的なものの他に、鼻や口を覆う部分が膨らんだ立体マスクであっても適用できる。例えば図６に示すようにその立体マスク２３０を中央部分から二つ折りにすれば、平面的なマスクと同様にその収納エリア１２０の収納することができる。また、図７に示すように立体マスク２３０を開いた状態で収納エリア１２０に乗せ、その両側の耳掛け部分をそれぞれ裏側に回して舌状のマスク保持片１３０，１３０に引っ掛けるようにすれば、ずれることなくしっかりと保持して収納することができる。
【符号の説明】
【００２６】
１００…マスク包装紙
１１０…紙シート
１２０…収納エリア
１３０…マスク保持片
１４０…差込片
１５０…差込口
２００…マスク
Ｌ１…第１の折線
Ｌ２…第２の折線
【図１】
0003227972.tif 000003
【図２】
0003227972.tif 000004
【図３】
0003227972.tif 000005
【図４】
0003227972.tif 000006
【図５】
0003227972.tif 000007
【図６】
0003227972.tif 000008
【図７】
0003227972.tif 000009